(57)【特許請求の範囲】
【請求項１】
建築における基礎コンクリート用のアンカーボルト支持部材であって、アンカーボルトを支持するための、透孔を有する支持部と、該支持部から外側の少なくとも２方向へ向かって設けられた腕部と、上記支持部の一方の先端に回転自在に設けられ且つアンカーボルトをそれに螺入可能に構成されたナット部材と、該ナット部材に連結され且つ上記支持部の透孔を通りその一端が上記支持部の透孔を挟んで他方の先端に臨ませられて支持部に回転自在に設けられた摘み部材とからなり、アンカーボルトを腕部よりも下方に配置した状態で支持することができるように構成されていることを特徴とするアンカーボルト支持部材。
【請求項２】
支持部の透孔が、アンカーボルトを挿通できる径を有していると共に、ナット部材と摘み部材とが別部材からなる別体として構成されていて相互に着脱自在であり、上記両者の連結状態を解いた時は支持部から取り外すことができるように構成されている請求項１記載のアンカーボルト支持部材。
【請求項３】
支持部は、その上下端が腕部よりも上下方向に突出していると共に上下の突出長さが異なっている請求項１又は２記載のアンカーボルト支持部材。
【請求項４】
腕部が、その長さを同一ピッチで段階的に変化させることができるように構成されている請求項１〜３のいずれかに記載のアンカーボルト支持部材。
【請求項５】
支持部から外側へ対称方向に向かって設けられた各腕部が、支持部の外側の対称位置に設けられた取着間隔保持部と、該各取着間隔保持部の外側の非上下端位置に設けられた取着部と、上記取着間隔保持部と支持部とを連結する連結部とからなるものであり、上記各取着間隔保持部は上記支持部側とは反対側に相互に平行な平面を有しており、上記各取着部は上記各取着間隔保持部における上記相互に平行な平面に対して直角な平面を上下に有している請求項１〜３のいずれかに記載のアンカーボルト支持部材。
【請求項６】
連結部が、その長さを同一ピッチで段階的に変化させることができるように構成されている請求項５記載のアンカーボルト支持部材。
【発明の詳細な説明】
【０００１】
【発明の属する技術分野】
本発明はアンカーボルト支持部材に関する。
【０００２】
【従来の技術】
従来、アンカーボルトの支持部材としては、例えば実公昭５６−２８２７６号公報に記載されたコンクリート仮枠支持金物における上場用部材がある。該支持金物における上場用部材は、アンカーボルト支持筒を貫通固定してなり、該支持筒には、横一文字の切込みを施してこの切込みに外側より線状バネの途中を嵌入させ、このバネに常時入り込み方向の復元弾性を付与してなるものである。
【０００３】
上記上場用部材は、バネにより支持筒内に挿通されたアンカーボルトをその復元弾性によって支持筒内において支持筒内面に押しつけて固定状態とし、アンカーボルトの高さを定めることができるものである。
【０００４】
通常、アンカーボルトを設置する場合は、基礎コンクリート内に埋め込む鉄筋に結わえ付けて固定する。しかしこれはアンカーボルトがある程度長い場合に可能な方法であり、アンカーボルトが短く、そのボルト部分を基礎コンクリート上面から突出させるようにすると反対側端部が下方に位置する鉄筋に届かず宙に浮いた状態となり、この状態で位置固定するには工夫が必要であった。この点、上記実公昭５６−２８２７６号公報のアンカーボルト支持部材は有用といえる。
【０００５】
【発明が解決しようとする課題】
しかしながら、上記従来の支持部材は、基礎コンクリートの上面が、施工用枠板の天場（上面）よりもかなり低い場合、基礎コンクリート上方へ突出するボルト部分の長さを適当なようにしようとすると、アンカーボルト上端が支持部材に届かず支持部材で支持することができないという問題があったり、またアンカーボルト下端が土台にも届かない場合はアンカーボルトを支持することが不可能であるという問題があった。
【０００６】
本発明は、上記の点に鑑みなされたものであり、上記従来の欠点を解消し、長さが短く下端が土台にも鉄筋にも届かないアンカーボルトを使用した場合でも、また、基礎コンクリートの上面が施工枠板の天場よりもかなり下方に位置していても、基礎コンクリート上面に適当長さにアンカーボルト上部を突出させ得るような位置にアンカーボルトを確実に支持することができるアンカーボルト支持部材を提供することを目的とする。
【０００７】
【課題を解決するための手段】
本発明は、（１）建築における基礎コンクリート用のアンカーボルト支持部材であって、アンカーボルトを支持するための、透孔を有する支持部と、該支持部から外側の少なくとも２方向へ向かって設けられた腕部と、上記支持部の一方の先端に回転自在に設けられ且つアンカーボルトをそれに螺入可能に構成されたナット部材と、該ナット部材に連結され且つ上記支持部の透孔を通りその一端が上記支持部の透孔を挟んで他方の先端に臨ませられて支持部に回転自在に設けられた摘み部材とからなり、アンカーボルトを腕部よりも下方に配置した状態で支持することができるように構成されていることを特徴とするアンカーボルト支持部材、（２）支持部の透孔が、アンカーボルトを挿通できる径を有していると共に、ナット部材と摘み部材とが別部材からなる別体として構成されていて相互に着脱自在であり、上記両者の連結状態を解いた時は支持部から取り外すことができるように構成されている上記（１）記載のアンカーボルト支持部材、（３）支持部は、その上下端が腕部よりも上下方向に突出していると共に上下の突出長さが異なっている上記（１）又は（２）記載のアンカーボルト支持部材、（４）腕部が、その長さを同一ピッチで段階的に変化させることができるように構成されている上記（１）〜（３）のいずれかに記載のアンカーボルト支持部材、（５）支持部から外側へ対称方向に向かって設けられた各腕部が、支持部の外側の対称位置に設けられた取着間隔保持部と、該各取着間隔保持部の外側の非上下端位置に設けられた取着部と、上記取着間隔保持部と支持部とを連結する連結部とからなるものであり、上記各取着間隔保持部は上記支持部側とは反対側に相互に平行な平面を有しており、上記各取着部は上記各取着間隔保持部における上記相互に平行な平面に対して直角な平面を上下に有している上記（１）〜（３）のいずれかに記載のアンカーボルト支持部材、（６）連結部が、その長さを同一ピッチで段階的に変化させることができるように構成されている上記（５）記載のアンカーボルト支持部材を要旨とする。
【０００８】
【発明の実施の形態】
以下、本発明を図面に基づき詳細に説明する。図１は本発明のアンカーボルト支持部材の一例を示す斜視図、図２は図１のＡ−Ａ線断面図である。アンカーボルト支持部材１は、建築において基礎コンクリート内に、その上端ボルト部分を基礎コンクリート上面に突出させるようにしてその下端を埋設されて用いられるアンカーボルトを、基礎コンクリート打設のために、その面間に所定間隔を保持して組まれる型枠板の間に配置して支持するための支持部材である。
【０００９】
アンカーボルト支持部材１は、透孔２を有する支持部３と、該支持部３から外側へ対称方向に向かって設けられた腕部４と、上記支持部３の一方の先端５に回転自在に設けられたナット部材６と、該ナット部材６に連結され且つ支持部３の透孔２を通りその一端が支持部３の透孔２を挟んで他方の先端７に臨ませられて支持部３に回転自在に設けられた摘み部材８とからなる。透孔２は摘み部材８を挿通できる、好ましくは嵌挿できる径を有している。上記支持部３は、ナット部材６を介してアンカーボルト９を、腕部４よりも下方に配置した状態で支持することができるようになっている。
【００１０】
アンカーボルト９を、腕部４から比較的長距離の下方にて支持できるようにするためには、ナット部材６が比較的長い所定長さを有しているか、又は支持部３が少なくとも下方に向かっては比較的長い所定長さを有しているか、少なくともいずれかの必要があるが、図１に示す本実施例では、ナット部材６としては特別長いものを用いず、その代わりに支持部３は腕部４より下方に長く突出した略円筒状に構成されている。尚、図では支持部３は腕部４の上方にも所定長さを有している。支持部３の腕部４よりも下方へ突出させる突出長さとしては任意であり、通常、枠板天場と基礎コンクリート上面との距離が比較的長くなる施工例としては該距離が１１０ｍｍの場合が多く、また、基礎コンクリート上面からのアンカーボルト先端の突出長さを９０ｍｍとする場合が多いので、支持部３の腕部４との付け根からナット部材下端までの距離が２０ｍｍより大きくなるようにする。支持部３下端からナット部材６下端までの長さが１０ｍｍとなるようなナット部材を用いた場合、支持部３の腕部４より下方部分の長さは１０ｍｍ超、通常、１２〜１３ｍｍより大きくする。上記支持部３の下方部分の長さは、長さの異なるナット部材を使用する場合を考慮して、好ましくは２０〜４０ｍｍ、更に好ましくは２５〜３５ｍｍとする。図１のように支持部が腕部の上下方向へ突出していていてその突出長さが異なっている場合、支持部のどちら側を上下どちらに向けてもよい。ナット部材６としては通常、支持部下端側への突出長さが１０ｍｍ程度のものが用いられるが、これに限られない。
【００１１】
腕部４は、基礎コンクリートとして形成されるための生コンクリートが流し込まれる空間を形成して所定間隔を隔てて配置される２列で１組を構成する枠板の、２列の間に支持部３を位置させるようにして両側の枠板の上面（天場という）に懸架させられるなどして仮固定に用いられる部分である。通常、該腕部４は枠板天場に釘等にて仮固定されて用いられる。４ａは枠板への固定用の釘孔である。尚、腕部４の長さは左右共に同一でも、或いは異なっていてもよい。各腕部４の長さは任意であるが、腕部４面上の支持部３中心から１００〜１３０ｍｍ程度とすることができる。各腕部４の長さが異なっている場合としては、例えば一方は支持部３中心から１２０ｍｍ、他方は１０５ｍｍとすることができる。
【００１２】
上記ナット部材６と摘み部材８とは、両者が連結された状態では支持部３から離脱しないように構成されている。具体的には例えば図１に示すように、支持部３の下端に透孔２よりも大径の凹陥部１０が設けられ、該凹陥部１０の中にナット部材６が嵌挿されるようになっており、ナット部材６の上端は凹陥部１０の上面に当接されることによりそれ以上支持部３の内方へは進入しないようになっている。或いは、ナット部材６の下端部周囲に鍔部１１を設け、該鍔部１１の上面が支持部３下端面に当接されて引っ掛かることにより、ナット部材６がそれ以上支持部３の内方へは進入しないように構成してもよい。またそれと共に、摘み部材８の上端には広径部１２が設けられており、該広径部１２の下面が支持部３の上端面に当接して引っ掛かることにより、摘み部材８がそれ以上支持部３の内方へは進入しないようになっている。尚、支持部３下端部に凹陥部１０を設けず、図３に示すように、支持部３の下端面にナット部材６の上面が当接するように、透孔２の径よりも大きい外径を有するナット部材を用いるようにしてもよい。また、ナット部材全体が支持部下端に嵌入されるようにしてもよい。支持部３の上下方向を変更可能とするため、ナット部材６と支持部３との当接部或いは嵌合部の形状と、摘み部材８と支持部３との当接部或いは嵌合部の形状とを同一としておくのが好ましい。
【００１３】
摘み部材８の広径部１２の周囲には、指で摘んで回転させる際の滑り止めとして、複数の凸条乃至凹状が所定間隔で設けられている。
【００１４】
上記ナット部材６と摘み部材８とは別部材からなる別体として構成されており、支持部３の一端側に配置したナット部材６と、透孔２を挟んだ支持部３の他端側から透孔２に挿通した摘み部材８とを連結できるように構成されている。例えば、摘み部材８のナット部材側先端に、ナット部材６のネジ孔１３の径とほぼ同径であって、ナット部材のネジ孔１３にネジ込むには多少きつめの大きさの外径を有する雄螺子を形成したネジ部１４を設けておき、ナット部材６を挿通部下方に配置し、摘み部材８を挿通部上方から透孔２に挿通し、ネジ部１４をネジ孔１３に強引に螺入することによりナット部材６と摘み部材８とを固定的に連結する。この状態では、ナット部材６と摘み部材８とを支持部３から抜き出すことはできない。
【００１５】
摘み部材８をナット部材６に螺合する時のために、摘み部材８の広径部１２の上面には六角レンチを用いて摘み部材８を回すことができるレンチ孔１２ａが設けられており、更に、ナット部材６の外形はスパナで該ナット部材が回せるように六角ナット状に形成されている。
【００１６】
ナット部材６と摘み部材８とは、それらの螺合状態を解くことにより、それらの連結状態を解くことができ、両者を支持部３から取り外すことができる。このように構成されていれば、ナット部材と摘み部材とだけを交換して使用することができる。また、後述するような、ナット部材６と摘み部材８とを取り外した状態で使用することもできる。また、アンカーボルトの、基礎コンクリート上面からの突出長さを変えて使用したい場合にも、支持部３の上下方向を反転させて変えることによって対応できる。
【００１７】
本発明においては、ナット部材６と摘み部材８とは必ずしも相互に着脱自在に構成されていなくともよい。即ち、当初両者を別体として構成し、支持部３を挟んだ形で両者を連結した後は、再び両者を取り外すことができなくなるような、接着剤による接着等の方法で連結してもよい。
【００１８】
本発明のアンカーボルト支持部材１を用いてアンカーボルト９を支持するためには、図４に示すように、アンカーボルト９のボルト部分先端を支持部３下端のナット部材６のネジ孔１３の端部にあてがい、摘み部材８を締め付け方向へ指で回転させると、摘み部材８の回転に伴いナット部材６も回転し、それによりアンカーボルト９はナット部材６のネジ孔１３内へと、図中矢印ａ方向に螺入させられる。アンカーボルト９を支持部３から取り外すには、上記と逆の手順で行なえばよい。この、アンカーボルトの取り外しの際、摘み部材８を回転させてナット部材６を回転せしめるが、ナット部材６と摘み部材８とが螺合により連結されていた場合でも、この程度の操作では両者の連結状態は解かれないように両者はきつめに締結されている。
【００１９】
本発明において、アンカーボルト支持部材１の少なくとも支持部３及び腕部４はプラスチック製であると、プラスチック成形にて一体成形できるので大量生産に好適である。ナット部材６と摘み部材８とは金属製でもプラスチック製でもよいが、生産性を考慮すればやはりプラスチック製が好ましい。上記プラスチックとしては、ポリエチレン、ポリプロピレン、塩化ビニル、フッ素樹脂、シリコン樹脂等、従来公知の材料を用いることができる。
【００２０】
本発明においては、透孔２はアンカーボルト９が挿通できる径、好ましくは嵌挿できる径を有している態様とするのが好ましい。このように構成されていれば、長さの充分に長いアンカーボルトを用いる場合や、基礎コンクリートの上面から枠板の天場までの距離が非常に短い（即ち、枠板の高さが低めの）場合にも本発明品を使用できる。つまり、上記の場合はアンカーボルトのボルト部分が枠板よりもかなりの長さで上方へ突出することとなるが、支持部の中にアンカーボルトが通されるようになっているとアンカーボルトを支持部で直接、確実に支持することができるため、上記のような場合にも本発明品を適用することができて適用範囲が広くなる。
【００２１】
上記のような構造とした場合、図１、図２に示すように、支持部３は、その上下端を腕部４よりも上下方向に突出させると共に上下の突出長さを異ならしめたものとするのが好ましい。このように構成すれば、基礎コンクリート上面と枠板の天場との距離が短い場合は、支持部３の、腕部４からの突出長さの短い方を下側に向けて使用し、支持部３が基礎コンクリートに埋没しないようにすることができる。基礎コンクリートに埋没するか否かの点だけでみれば、基礎コンクリート上面と枠板天場との距離が長い場合は支持部３のどちら側を下側に向けても構わない。また、万一、支持部３が基礎コンクリートに埋没してしまった時の引き抜き易さを考慮して、支持部３を離型性の良いプラスチックにて、腕部４から離れるに従い漸次細径となるようにテーパー状に形成するのが好ましい。
【００２２】
図５は、本発明の別の実施例を示す図である。本発明においては、腕部４を図５に示すように構成することもできる。即ち、図に基づき説明すれば、腕部４としては、支持部３の外側の対称位置に設けられた取着間隔保持部１５と、該各取着間隔保持部１５の外側の非上下端位置に設けられた取着部１６と、上記取着間隔保持部１５と支持部３とを連結する連結部１７とから構成し、上記各取着間隔保持部１５は上記支持部３側とは反対側に相互に平行な平面１８を有しており、上記各取着部１６は上記各取着間隔保持部１５における上記相互に平行な平面１８に対して直角な平面１９を上下に有しているものである。
【００２３】
連結部１７は、支持部３の透孔２の方向に対して直角に設けられた２本の平板状部材からなる。連結部１７は、支持部３及び取着間隔保持部１５とそれより外側の部分を保持するためのものである。支持部３を挟んで対称な連結部１７の長さは、通常、同一とされる。
【００２４】
また、各連結部１７の先端に設けられている各取着間隔保持部１５においては、支持部３側とは反対側に位置して設けられている平面１８，１８が相互に平行である。取着間隔保持部１５は図５に示すように平板状とすることができる。そして、平面１８，１８は連結部１７に対して直角となるように位置している。該平面１８，１８は支持部３の透孔２の長さ方向（軸方向）に対して平行である。取着間隔保持部１５は、アンカーボルト支持部材１を基礎コンクリート打設用の２枚の枠板上に配置した時、取着間隔保持部１５の外側面１８，１８を各枠板の内面に当接させて型枠間隔を保持するためのものである。取着間隔保持部１５の、連結部１７との結合部基部２０からの上下方向長さは、通常、同じ長さとされるが、これに限られない。
【００２５】
また、各取着間隔保持部１５の外側の上下方向中央位置に設けられている取着部１６は、取着間隔保持部１５における平面１８，１８に対して直角な平面１９，１９を上下両方に有しており、通常、図５に示すような平板状とされる。該平面１９，１９は連結部１７と平行であり、支持部３の透孔２の長さ方向（軸方向）に対して直角である。取着部１６は、それを基礎コンクリート打設用の２枚の枠板の上端面に載置することにより、アンカーボルト支持部材１を所定高さに位置固定するためのものである。
【００２６】
上記各部は全て前記した如きプラスチックで構成されているが、金属で構成されていてもよい。尚、図５において支持部３はその上下端が連結部１７よりも上下方向へ突出していると共に、上下の突出長さが相互に異なったものとして構成されている。
【００２７】
また、本発明においては、図５に示すように、取着部１６の幅方向両端が、取着間隔保持部１５の幅方向両端よりも突出しているのが好ましい。このように構成されていると、図１４、図１５に示すように、取着部１６における取着間隔保持部１５の幅方向両端部より外側の突出部２１，２１の上面側から、従来から用いられている、基礎コンクリート打設用型枠の幅止め金具２２で押さえるようにして取り付けることにより、アンカーボルト支持部材１をより強固に型枠に固定することができる。尚、本発明においては、このような態様に限られるものではなく、またこのような使用方法に限られない。尚、２３は枠板への取り付けの際に釘等が挿通される孔である。
【００２８】
図６〜図８は本発明の更に別の実施例を示す図である。図７は図６の支持部材を斜め方向から見た分解斜視図である。また図８は腕部４の一部を構成する連結部１７を最大に延ばした状態を示す図である。本発明においては、腕部４の長さを、後述する連結部１７と同様に構成することにより同一ピッチで段階的に変化させることができるように構成することができる（図示せず）。尚、腕部４の長さを可変にしない代わりに、図１に一点鎖線で示すように腕部４の幅方向中央位置で且つ長手方向に沿って所定ピッチで釘孔４ｂを設けてもよい。釘孔４ｂは例えば支持部３の中心から４５ｍｍ離れた位置から始まり、外方へ７．５ｍｍピッチで数個設けることができる。腕部４が取着間隔保持部１５と取着部１６と連結部１７とからなる場合は、図６〜図８に示すように、連結部１７が、その長さを同一ピッチで段階的に変化させることが可能であり、かつ支持部３を挟んで対称な各連結部１７の長さを同一にすることができるように構成されたものとすることができる。
【００２９】
図６〜図８において、連結部１７は、支持部３に設けられた固定部２４と、該固定部２４の上方に重なるようにして設けられた可動部２５とからなり、可動部２５の外側先端には取着間隔保持部１５が設けられている。固定部２４と可動部２５にはそれぞれ孔２４ａ、２５ａが設けられており、２４ａは支持部３と取着間隔保持部１５とを結ぶ方向に長い長孔である。尚、孔２５ａが長孔であっても、両方の孔が長孔であってもよい。上記いずれかの孔に雌螺子が切ってあり、雄螺子を通すことによるか、或いは上記両孔２４ａ、２５ａにボルトを挿通して反対側をナットで締結することにより、固定部２４と可動部２５とを締結できるようになっている。図６〜図８においては、固定部２４の長孔２４ａにビス２６を通し、該ビス２６を更に可動部２５のネジ孔２５ａに通して該ネジ孔２５ａに螺合させて締結し、それによって可動部２５を固定部２４に対して固定した状態となるように構成されている。
【００３０】
固定部２４の下面には側面視山切り状の凸条２４ｂが設けられており、また該固定部２４の凸条２４ｂに面する、可動部２５の上面にも側面視山切り状の凸条２５ｂが設けられており、両者における山切り状の凸条の凹凸ピッチは同一である。尚、固定部２４と可動部２５の噛み合う面の形状は必ずしも山切り状でなくとも、両者が互いに噛み合うことができるように、所定の一定ピッチの凸条と、それに噛み合うことができる上記と同一ピッチの凹条を結果的に有する凸条とから構成されていてもよい。図６〜図８では、支持部３はその長い方が固定部２４の凸条２４ｂとは反対側に、短い方が固定部２４の凸条２４ｂ側になるように設けられているが、この逆でもよい。
【００３１】
連結部１７の長さを変化させるには、まず、ビス２６を充分緩める。次いで、可動部２５を長孔２４ａの長径の方向にスライドさせる。支持部３に対して対称方向の可動部についても同様にし、対称方向にある連結部１７の長さが同一となるようにする。その後、各連結部１７におけるビス２６をネジ孔２５ａにネジ込み締結して可動部２５を固定部２４に対して固定状態とする。この固定状態では、支持部３を挟んで両側に配置された取着間隔保持部１５の間において、支持部３は取着間隔保持部１５，１５の丁度中間に位置している。このように、図６〜図８の如き態様を採用すれば、支持部３を取着間隔保持部１５，１５の丁度中間位置に容易に位置させることが可能であり、また中間位置に精度よく位置させることが可能である。尚、支持部３を取着間隔保持部１５，１５の中間位置から偏らせた状態で固定することもできる。この場合、対称方向にある連結部１７の長さを異ならしめるように変化させる。
【００３２】
図９〜図１１は、本発明の更に別の例を示す図であり、図９、図１０は連結部１７を最も縮めた状態のそれぞれ平面図、側面図であり、図１１は連結部１７を最大に延ばした状態の側面図である。本発明においては、図９〜図１１に示すように、連結部１７を２つの相互にスライド可能な可動部２７，２８から構成し、該可動部２７，２８に対してスライド可能に支持部３を設けて構成することもできる。図において、可動部２７，２８とは相対向する面が相互に噛み合うように、凹凸ピッチが同一の山切り状の凸条２７ｂ，２８ｂがそれぞれ設けられている。可動部２７にも２８にも、支持部３と取着間隔保持部１５とを結ぶ方向に長い長径を有し、短径は支持部３が挿通可能な大きさの長孔２７ａ，２８ａがそれぞれ設けられており、該長孔２７ａ，２８ａに支持部３が長孔２７ａ，２８ａの長径方向にスライド可能に挿通されている。支持部３の長手方向途中には、鍔部２９が設けられており、該鍔部２９が可動部２７の上面に位置するように設けられている。
【００３３】
鍔部２９において支持部３を挟んで対称位置にはビス孔３０，３０が設けられている。一方、上記可動部２７，２８において長孔２７ａ、２８ａの短径方向両側には、該長孔２７ａ，２８ａと平行であって長径方向を同一とするビス長孔２７ｃ，２７ｃ、及び２８ｃ，２８ｃが設けられている。そして、ビス３１が、ビス孔３０と長孔２８ａと長孔２７ａとに通され、長孔２７ａから突出したビス３１の先端側にナット３２を螺合して締結されることにより、支持部３に設けられた鍔部２９と、可動部２８と、可動部２７とが固定状態となるように構成されている。連結部１７の長さを変化させるには、前記図６〜図８に基づき説明したのと同様の要領で行なう。尚、支持部３は、連結部１７（可動部２７及び２８）の基部からの上下方向の長さが相互に異なっており、また、鍔部２９から上下端側に行くにつれて漸次細径となるように構成されている。
【００３４】
上記図９〜図１１の如き態様を採用すれば、取着間隔保持部１５，１５の間隔をより広範囲に変化させることが可能であり、また支持部３の偏芯の程度を顕著なものとすることが可能である。
【００３５】
尚、図９〜図１１の態様の支持部材において、図１２に示すように、支持部材１の片側において、ビス孔２７ｃと２８ｃのうち、内側即ち支持部３側寄りの縁端部ｅ1 と、取着間隔保持部１５の外側面における取着部１６との結合基部ｆ1 との間の長さｗ1 が、反対側における上記と同様の部分であるｅ2 とｆ2 との間の長さｗ2 と等しくなるように構成されていれば、支持部３を容易に中央位置に位置させることも可能である。即ち、図１２に示すように、鍔部２９を斜めにして、各ビス３１がビス孔２７ｃ（２８ｃ）の縁端部に当接するように鍔部２９を位置させることにより、必然的にｆ1 とｆ2 との真ん中に支持部３が位置することとなり、容易に、支持部３を真ん中に位置させることができる。
【００３６】
図９において、３２は定規として用いる目盛り線であり、裏面にも付いている。この目盛り線３２があれば、図１３に使用状態を示す平面図として示すように、土台３３の端面３４などの、アンカーボルト設置基準となる線に対して目盛り線３２を適宜位置合わせすることにより、例えばアンカーボルトを土台３３の中央などの所望の位置に位置決めすることが容易となる。このような目盛り線は、前記したどの実施例にも設けることができる。３５は枠板を表わす。
【００３７】
また、図５〜図１１に示す態様において、取着部１６を図１４に示すように、少なくとも片側の取着間隔保持部１５との付け根部１６ａから取着間隔保持部１５の両側方向へわたって切り欠いた形とし、該切り欠き部縁辺１６ｂが取着間隔保持部１５の外側面１８と相互に平行となるように構成してもよい。このようにしておけば、枠板間隔が広く腕部４（連結部１７）を最大に延ばしても対応できない場合でも、上記切り欠き部縁辺１６ｂを枠板内面上辺に位置合わせすることにより適正位置に取り付けることができる。
【００３８】
図１５、図１６は本発明アンカーボルト支持部材の使用方法を説明するための説明図である。本発明のアンカーボルト支持部材を用いるに当たっては、例えば図１５、図１６に示すように、支持部材１を枠板３５，３５の上面に載置する。具体的には、取着部１６を枠板３５の上面に載せるようにする。その際、取着間隔保持部１５，１５が枠板３５，３５の内側に当接するように、腕部４（連結部１７）の長さを前記した如き手順によって調節する。
【００３９】
支持部材１として、その取着部の幅方向両端が、取着間隔保持部の幅方向両端よりも突出しているものを用いた場合は、次いで、図１５〜図１６に示すように、従来公知の基礎コンクリート打設用枠板の幅止め金具２２を取着部１６の突出部２１，２１の上面側から釘３６等を打ち込むことにより取り付けて、該幅止め金具２２で取着部１６を押さえるようにすることにより、アンカーボルト支持部材１をより強固に枠板３５に固定する。尚、幅止め金具２２を用いずに取着部１６を枠板３５上面に取り付けるだけでもよい。また、図１５（ｂ）に示すように、枠板３５が桟３９を有するメタルホームのようなものである場合、取着部１６をバイス（小型の簡易万力である）４０を用いて桟３９に固定することもできる。この方法は、腕部４が単に平板状のものでも適用できる。３７は主筋である。アンカーボルトは主筋３７に固定してもしなくともよい。
【００４０】
本発明のアンカーボルト支持部材１の使用態様としては、支持部材１の取り付けに際しては、支持部３が２列の枠板の間になるように腕部４の両端を両枠板の上面に載置、固定した後、図４に示すように、アンカーボルト９の上部先端ボルト部分をナット部材６にあてがって摘み部材８を回すことによりナット部材６のネジ孔１３に螺入させる。腕部４の長さが調節できるようになっている場合は、更に、両枠板間の間隔に合わせて腕部４の長さを調節する。上記操作手順は必要に応じて任意に変更可能である。
【００４１】
本発明のアンカーボルト支持部材の別の使用態様として、図１７に示すように、基礎コンクリート３８の上面が充分に下方であるが基礎コンクリート上面へのボルト部分の突出長さも充分に長くする必要があって腕部よりも上方にボルト部分先端が突出するような場合に対しては、ナット部材と摘み部材とを取り外した形で使用する態様が挙げられる。この場合、支持部３の長い方を下側にしても、或いはその逆向きで使用してもどちらでもよい。また、基礎コンクリート３８の上面がかなり上方であり枠板上面に近く、しかもボルト部分のコンクリート面からの突出長さを長くする必要があってボルト部分先端が枠板上面よりも上方へ突出する場合に対しては、図１８に示すように、ナット部材と摘み部材とを取り外した形で支持部３の短い方を下側に向けて使用するのが望ましい。このようにすれば、コンクリート３８の上面が支持部材１の下方間際まで到達しても、支持部３がコンクリートに埋没することがない。但し、図１９に示すように、コンクリート３８の上面がかなり上方にきても、支持部３の上下先端部が先細に形成されていれば、たとえコンクリート３８内に支持部３が埋没しても容易に抜き取ることができるので、支持部の長い方がどちらの向きとなる使用法も可能である。尚、透２がアンカーボルト９を嵌挿できる径を有していると、支持部３下方がコンクリートに埋没してもアンカーボルト９と透孔２内壁との間に浸入しないので、支持部材１をコンクリートから一層抜き取り易い。
【００４２】
【発明の効果】
本発明のアンカーボルト支持部材は以上のように構成されているので、長さが短く下端が土台にも鉄筋にも届かないアンカーボルトを使用した場合でも、また、基礎コンクリートの上面が施工枠板の天場よりもかなり下方に位置していても、基礎コンクリート上面に適当長さにアンカーボルト上部を突出させ得るような位置にアンカーボルトを確実に支持することができるという効果を奏する。
【００４３】
また、支持部の透孔がアンカーボルトを挿通できる径を有していると共に、ナット部材と摘み部材とが相互に着脱自在に構成されており、両者を支持部から取り外すことができるように構成されている場合は、両者を支持部から取り外すことにより、アンカーボルトを支持部に通して支持部上方へ突出させた態様で使用できるので、基礎コンクリートの上面と施工枠板の天場との距離が小さくなる場合においても、基礎コンクリート上面に適当長さにアンカーボルト上部を突出させ得るような位置にアンカーボルトを支持する形で適用することができるという効果を奏する。
【図面の簡単な説明】
【図１】本発明のアンカーボルト支持部材の一例を示す斜視図である。
【図２】図１のＡ−Ａ線断面図である。
【図３】ナット部材の支持部端部への取り付け態様を示す縦断面図である。
【図４】本発明アンカーボルト支持部材へのアンカーボルトの取り付け方法の説明図である。
【図５】本発明のアンカーボルト支持部材の別の例を示す斜視図である。
【図６】本発明のアンカーボルト支持部材の更に別の例を示す斜視図である。
【図７】図６のアンカーボルト支持部材の下方斜視図である。
【図８】図６のアンカーボルト支持部材の連結部伸長状態の下方斜視図である。
【図９】本発明のアンカーボルト支持部材の更に別の例を示す平面図である。
【図１０】図９のアンカーボルト支持部材の側面図である。
【図１１】図９のアンカーボルト支持部材の連結部伸長状態の側面図である。
【図１２】本発明のアンカーボルト支持部材の更に別の例を示す平面図である。
【図１３】図９と図１２のアンカーボルト支持部材の使用方法を示す平面図である。
【図１４】取着部の形状の例を示す平面図である。
【図１５】本発明のアンカーボルト支持部材の使用方法について説明するための説明図であり、（ａ）はその一例、（ｂ）は別の例を示す図である。
【図１６】図１５（ａ）の要部拡大図である。
【図１７】本発明のアンカーボルト支持部材の一使用態様を示す図である。
【図１８】ナット部材と摘み部材とを取り外したアンカーボルト支持部材の一使用態様を示す図である。
【図１９】ナット部材と摘み部材とを取り外したアンカーボルト支持部材の別の使用態様を示す図である。
【符号の説明】
１  アンカーボルト支持部材
２  透孔
３  支持部
４  腕部
６  ナット部材
８  摘み部材
９  アンカーボルト
【図１】
0003782540.tif 000002
【図２】
0003782540.tif 000003
【図３】
0003782540.tif 000004
【図４】
0003782540.tif 000005
【図５】
0003782540.tif 000006
【図６】
0003782540.tif 000007
【図７】
0003782540.tif 000008
【図８】
0003782540.tif 000009
【図９】
0003782540.tif 000010
【図１０】
0003782540.tif 000011
【図１１】
0003782540.tif 000012
【図１２】
0003782540.tif 000013
【図１３】
0003782540.tif 000014
【図１４】
0003782540.tif 000015
【図１５】
0003782540.tif 000016
【図１６】
0003782540.tif 000017
【図１７】
0003782540.tif 000018
【図１８】
0003782540.tif 000019
【図１９】
0003782540.tif 000020